【手続補正書】
【提出日】平成18年9月8日(2006.9.8)
【手続補正１】
【補正対象書類名】明細書
【補正対象項目名】発明の名称
【補正方法】変更
【補正の内容】
【発明の名称】撮像装置、焦点検出方法及び記憶媒体
【手続補正２】
【補正対象書類名】明細書
【補正対象項目名】特許請求の範囲
【補正方法】変更
【補正の内容】
【特許請求の範囲】
【請求項１】  撮影レンズに対して瞳位置の異なる領域の光束を選択的に通過させ、当該光束から撮像素子上に形成した複数の画像を相関演算することにより、前記撮影レンズのデフォーカス量を算出する焦点検出装置を備えた撮像装置であって、
前記撮像素子の中央部分及び複数の周辺部分から得られる画像により前記相関演算を行うようにしたことを特徴とする撮像装置。
【請求項２】  前記瞳位置の異なる領域の光束を前記撮影レンズに対して時系列的に通過させ、前記撮像素子上に前記複数の画像を形成するようにしたことを特徴とする請求項１に記載の撮像装置。
【請求項３】  前記撮影レンズの光軸に対して対称配置された複数の開口部と、前記開口部を選択的に遮光する遮光部とを備え、前記複数の開口部を前記遮光部により順次に遮光することにより、前記撮像素子上に前記複数の画像を形成するようにしたことを特徴とする請求項２に記載の撮像装置。
【請求項４】  撮影レンズに対して瞳位置の異なる領域の光束を通過させ、当該光束のそれぞれを撮像素子上に同時に結像させ、前記撮像素子から得られる出力信号を複数の特性の異なるフィルターにより処理し、前記フィルター出力より自己相関係数を計算し、得られたピーク位置から合焦情報を演算する焦点検出装置を備えた撮像装置であって、
前記合焦情報を演算するための前記出力信号を、前記撮像素子の中央部分及び複数の周辺部分から取得するようにしたことを特徴とする撮像装置。
【請求項５】  前記複数の特性の異なるフィルターにより処理された前記出力信号の自己相関係数の加算値より前記ピーク位置を求め、前記ピーク位置から前記合焦情報を演算するように構成したことを特徴とする請求項４に記載の撮像装置。
【請求項６】  前記複数の周辺部分は、前記撮像素子の中央部分に対して対称位置に設定されることを特徴とする請求項１乃至５のいずれか１項に記載の撮像装置。
【請求項７】  前記複数の周辺部分は、前記撮像素子の中央部分に対して垂直方向に設定されることを特徴とする請求項１乃至５のいずれか１項に記載の撮像装置。
【請求項８】  前記複数の周辺部分は、前記撮像素子の中央部分に対して水平方向に設定されることを特徴とする請求項１乃至５のいずれか１項に記載の撮像装置。
【請求項９】  前記複数の周辺部分は、前記撮像素子の中央部分に対して前記撮像素子の対角方向に設定されることを特徴とする請求項１乃至５のいずれか１項に記載の撮像装置。
【請求項１０】  前記中央部分及び複数の周辺部分から得られる画像の信号電荷読み出しスピードと、他の領域の画像の信号電荷読み出しスピードが異なることを特徴とする請求項１乃至９のいずれか１項に記載の撮像装置。
【請求項１１】  前記複数の画像の輝度信号成分のみを用いて前記演算を行うことを特徴とする請求項１乃至１０のいずれか１項に記載の撮像装置。
【請求項１２】  撮影レンズと、
前記撮影レンズにより結像された被写体像を受光する撮像素子と、
前記撮影レンズの瞳の異なる領域の光束を選択的に通過させる光束選択手段とを有し、
前記光束選択手段により選択的に通過させた光束によって前記撮像素子上に形成された複数の画像のうち、前記撮像素子の中央部分及び複数の周辺部分から得られる画像を相関演算することにより、前記撮影レンズのデフォーカス量を算出することを特徴とする撮像装置。
【請求項１３】  撮影レンズと、
前記撮影レンズにより結像された被写体像を受光する撮像素子と、
前記撮影レンズの瞳の異なる領域の光束を同時に通過させる光束通過手段とを有し、
前記光束通過手段を通過した光束から得られる出力信号のうち、前記撮像素子の中央部分及び複数の周辺部分から得られる出力信号を複数の特性の異なるフィルターにより処理し、当該フィルター出力より自己相関係数を計算し、得られたピーク位置から合焦情報を演算することを特徴とする撮像装置。
【請求項１４】  撮影レンズに対して瞳位置の異なる領域の光束を選択的に通過させ、当該光束のそれぞれから撮像素子上の中央部分及び周辺部分に形成した画像を相関演算することにより、前記撮影レンズのデフォーカス量を算出することを特徴とする焦点検出方法。
【請求項１５】  前記瞳位置の異なる領域の光束を前記撮影レンズに対して時系列的に通過させ、前記撮像素子上に前記複数の画像を形成することを特徴とする請求項１４に記載の焦点検出方法。
【請求項１６】  撮影レンズに対して瞳位置の異なる領域の光束を通過させ、当該光束のそれぞれを撮像素子上の中央部分及び複数の周辺部分へ同時に結像させ、前記撮像素子から得られる出力信号を複数の特性の異なるフィルターにより処理し、前記フィルター出力より自己相関係数を計算し、前記ピーク位置から合焦情報を演算することを特徴とする焦点検出方法。
【請求項１７】  前記複数の特性の異なるフィルターにより処理された前記出力信号の自己相関係数の加算値より前記ピーク位置を求め、前記ピーク位置から前記合焦情報を演算することを特徴とする請求項１６に記載の焦点検出方法。
【請求項１８】  請求項１４乃至１７のいずれか１項に記載の焦点検出方法の手順をコンピュータに実行させるためのプログラムを記憶したコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、撮影レンズの瞳の異なる領域を通過した光束を用いて、撮影レンズのデフォーカス量を算出する撮像装置、焦点検出方法及び記憶媒体に関する。
【手続補正４】
【補正対象書類名】明細書
【補正対象項目名】００１５
【補正方法】変更
【補正の内容】
【００１５】
【課題を解決するための手段】
本発明の撮像装置は、撮影レンズに対して瞳位置の異なる領域の光束を選択的に通過させ、当該光束から撮像素子上に形成した複数の画像を相関演算することにより、前記撮影レンズのデフォーカス量を算出する焦点検出装置を備えた撮像装置であって、前記撮像素子の中央部分及び複数の周辺部分から得られる画像により前記相関演算を行うようにしている。
【手続補正５】
【補正対象書類名】明細書
【補正対象項目名】００１６
【補正方法】変更
【補正の内容】
【００１６】
本発明の撮像装置の一態様例においては、前記瞳位置の異なる領域の光束を前記撮影レンズに対して時系列的に通過させ、前記撮像素子上に前記複数の画像を形成するようにしている。
【手続補正６】
【補正対象書類名】明細書
【補正対象項目名】００１７
【補正方法】変更
【補正の内容】
【００１７】
本発明の撮像装置の一態様例においては、前記撮影レンズの光軸に対して対称配置された複数の開口部と、前記開口部を選択的に遮光する遮光部とを備え、前記複数の開口部を前記遮光部により順次に遮光することにより、前記撮像素子上に前記複数の画像を形成するようにしている。
【手続補正７】
【補正対象書類名】明細書
【補正対象項目名】００１８
【補正方法】変更
【補正の内容】
【００１８】
本発明の撮像装置は、撮影レンズに対して瞳位置の異なる領域の光束を通過させ、当該光束のそれぞれを撮像素子上に同時に結像させ、前記撮像素子から得られる出力信号を複数の特性の異なるフィルターにより処理し、前記フィルター出力より自己相関係数を計算し、得られたピーク位置から合焦情報を演算する焦点検出装置を備えた撮像装置であって、前記合焦情報を演算するための前記出力信号を、前記撮像素子の中央部分及び複数の周辺部分から取得するようにしている。
【手続補正８】
【補正対象書類名】明細書
【補正対象項目名】００１９
【補正方法】変更
【補正の内容】
【００１９】
本発明の撮像装置の一態様例においては、前記複数の特性の異なるフィルターにより処理された前記出力信号の自己相関係数の加算値より前記ピーク位置を求め、前記ピーク位置から前記合焦情報を演算するように構成している。
【手続補正９】
【補正対象書類名】明細書
【補正対象項目名】００２０
【補正方法】変更
【補正の内容】
【００２０】
本発明の撮像装置の一態様例においては、前記複数の周辺部分は、前記撮像素子の中央部分に対して対称位置に設定される。
【手続補正１０】
【補正対象書類名】明細書
【補正対象項目名】００２１
【補正方法】変更
【補正の内容】
【００２１】
本発明の撮像装置の一態様例においては、前記撮像素子の中央部分に対して垂直方向に設定される。
【手続補正１１】
【補正対象書類名】明細書
【補正対象項目名】００２２
【補正方法】変更
【補正の内容】
【００２２】
本発明の撮像装置の一態様例においては、前記撮像素子の中央部分に対して水平方向に設定される。
【手続補正１２】
【補正対象書類名】明細書
【補正対象項目名】００２３
【補正方法】変更
【補正の内容】
【００２３】
本発明の撮像装置の一態様例においては、前記撮像素子の中央部分に対して前記撮像素子の対角方向に設定される。
【手続補正１３】
【補正対象書類名】明細書
【補正対象項目名】００２４
【補正方法】変更
【補正の内容】
【００２４】
本発明の撮像装置の一態様例においては、前記中央部分及び複数の周辺部分から得られる画像の信号電荷読み出しスピードと、他の領域の画像の信号電荷読み出しスピードが異なる。
【手続補正１４】
【補正対象書類名】明細書
【補正対象項目名】００２５
【補正方法】変更
【補正の内容】
【００２５】
本発明の撮像装置の一態様例においては、前記複数の画像の輝度信号成分のみを用いて前記演算を行う。
【手続補正１５】
【補正対象書類名】明細書
【補正対象項目名】００２６
【補正方法】変更
【補正の内容】
【００２６】
本発明の撮像装置は、撮影レンズと、前記撮影レンズにより結像された被写体像を受光する撮像素子と、前記撮影レンズの瞳の異なる領域の光束を選択的に通過させる光束選択手段とを有し、前記光束選択手段により選択的に通過させた光束によって前記撮像素子上に形成された複数の画像のうち、前記撮像素子の中央部分及び複数の周辺部分から得られる画像を相関演算することにより、前記撮影レンズのデフォーカス量を算出する。
【手続補正１６】
【補正対象書類名】明細書
【補正対象項目名】００２７
【補正方法】変更
【補正の内容】
【００２７】
本発明の撮像装置は、撮影レンズと、前記撮影レンズにより結像された被写体像を受光する撮像素子と、前記撮影レンズの瞳の異なる領域の光束を同時に通過させる光束通過手段とを有し、前記光束通過手段を通過した光束から得られる出力信号のうち、前記撮像素子の中央部分及び複数の周辺部分から得られる出力信号を複数の特性の異なるフィルターにより処理し、当該フィルター出力より自己相関係数を計算し、得られたピーク位置から合焦情報を演算する。
【手続補正１７】
【補正対象書類名】明細書
【補正対象項目名】００２８
【補正方法】変更
【補正の内容】
【００２８】
本発明の焦点検出方法は、撮影レンズに対して瞳位置の異なる領域の光束を選択的に通過させ、当該光束のそれぞれから撮像素子上の中央部分及び周辺部分に形成した画像を相関演算することにより、前記撮影レンズのデフォーカス量を算出する。
【手続補正１８】
【補正対象書類名】明細書
【補正対象項目名】００３０
【補正方法】変更
【補正の内容】
【００３０】
本発明の焦点検出方法は、撮影レンズに対して瞳位置の異なる領域の光束を通過させ、当該光束のそれぞれを撮像素子上の中央部分及び複数の周辺部分へ同時に結像させ、前記撮像素子から得られる出力信号を複数の特性の異なるフィルターにより処理し、前記フィルター出力より自己相関係数を計算し、前記ピーク位置から合焦情報を演算する。